(57)【特許請求の範囲】
【請求項１】
筒状の回転シリンダと、
前記回転シリンダの周囲を搬送される磁気テープに対し、情報の記録又は情報の読取りの少なくとも一方を行う磁気ヘッドと、
前記回転シリンダ内に設けられた揺動軸と、
前記回転シリンダの内部に配されると共に、前記揺動軸に揺動可能に軸支されたアームと、を備え、
前記磁気ヘッドは、前記アームの一端側に設けられると共に、当該アームによって前記回転シリンダの外側へ向かって移動可能に支持されており、前記アームの他端側に前記回転シリンダの回転により生じる空気流が作用して、前記回転シリンダの外側へ向かって移動させられることを特徴とするロータリヘッド。
【請求項２】
前記回転シリンダには、前記磁気ヘッドよりも当該回転シリンダの回転方向前側の位置に、前記空気流を内側に導くための開口部が設けられていることを特徴とする請求項１に記載のロータリヘッド。
【請求項３】
前記磁気ヘッドは、磁気抵抗効果によって前記磁気テープの情報を読取る磁気抵抗効果型素子を含むことを特徴とする請求項１又は２に記載のロータリヘッド。
【請求項４】
前記磁気ヘッドは、インダクティブ型磁気ヘッドであることを特徴とする請求項１又は２に記載のロータリヘッド。
【請求項５】
請求項１〜請求項４のうち何れか一項記載のロータリヘッドと、前記ロータリヘッドの周囲に磁気テープを搬送する搬送機構と、を備えることを特徴とする磁気記録再生装置。
【発明の詳細な説明】
【０００１】
【発明の属する技術分野】
本発明は、磁気テープへの情報の記録又は再生に用いられるロータリヘッド、及びこれを備えた磁気記録再生装置に関するものである。
【０００２】
【従来の技術】
オーディオデッキ、ビデオデッキ、及びハンディカムカメラ等の磁気テープを記録媒体とした磁気記録再生装置においては、高記録密度化を図るために、ヘリカルスキャニング方式に対応したロータリヘッドが採用されている。このようなロータリヘッドにおいては、従来、磁気テープへの情報の記録又は情報の読取りのいずれにも適用できるインダクティブ型の磁気ヘッド、或いは、インダクティブ型磁気ヘッドよりも高感度な情報読取りを行える磁気抵抗効果型磁気ヘッド（以下、「ＭＲヘッド」ともいう。）が利用されている。
【０００３】
インダクティブ型の磁気ヘッドにおいては、磁気テープとの摺動面に異物等が付着することで記録性能及び再生性能が劣化するのを防止するために、磁気テープは磁気ヘッドに摺動するように搬送される。この摺動に伴う摩擦によって磁気ヘッド表面がある程度削られ、常に異物のない面が露出するようになっていた。
【０００４】
【発明が解決しようとする課題】
しかしながら、上記従来の技術には、次のような課題がある。すなわち、従来のロータリヘッドでは、上述のようにインダクティブ型磁気ヘッドの異物を除去すべく、磁気テープを磁気ヘッドに摺動するように搬送させていたが、磁気テープを磁気ヘッドに過度に接触させると、磁気テープから受ける意図しない衝撃力や磁気テープとの接触から発生する静電気（ESD; Electro State Discharge）や摩擦熱(TA; Thermal Asperity)によって磁気ヘッドが破損したり、或いは、摺動に伴う摩擦力によって磁気ヘッドが磨耗するという問題があった。一方、磁気テープと磁気ヘッドとの距離が広がってしまうと、磁気ヘッドの出力が変動したり、再生感度が低下するという問題もあった。
【０００５】
ＭＲヘッドを用いたロータリヘッドとしては、例えば特開平１１−２５９８３４号公報に記載されたものがある。同公報には、ＭＲヘッドの磨耗を抑える技術が開示されているが、検討の余地が多々残っている。
【０００６】
本発明は、磁気ヘッドと磁気テープとの接触状態を適切に調節することが可能なロータリヘッド及びこれを備えた磁気記録再生装置を提供することを目的とする。
【０００７】
【課題を解決するための手段】
本発明に係るロータリヘッドは、筒状の回転シリンダと、回転シリンダの周囲を搬送される磁気テープに対し、情報の記録又は情報の読取りの少なくとも一方を行う磁気ヘッドと、回転シリンダ内に設けられた揺動軸と、回転シリンダの内部に配されると共に、揺動軸に揺動可能に軸支されたアームと、を備え、磁気ヘッドは、アームの一端側に設けられると共に、当該アームによって回転シリンダの外側へ向かって移動可能に支持されており、アームの他端側に回転シリンダの回転により生じる空気流が作用して、回転シリンダの外側へ向かって移動させられることを特徴とする。
【０００８】
本発明に係るロータリヘッドによれば、磁気ヘッドは回転シリンダの外側へ向かって移動可能に支持されているので、磁気ヘッドと磁気テープとの接触状態を適切に調節することができる。
【０００９】
また、本発明では、回転シリンダ内に設けられた揺動軸と、揺動軸に揺動可能に軸支されたアームとを備え、磁気ヘッドが、アームによって、回転シリンダの外側へ向かって移動可能に支持されている。これにより、磁気ヘッドを回転シリンダの外側に向かって容易に移動させることができる。
【００１０】
また、本発明では、磁気ヘッドは、アームの一端側に設けられており、アームの他端側に回転シリンダの回転により生じる空気流が作用して、回転シリンダの外側へ向かって移動させられる。これにより、回転シリンダの回転により空気流が発生すると、該空気流によって、磁気ヘッドは回転シリンダの外側へ向かって移動することとなる。このため、磁気ヘッドを回転シリンダの外側へ向かって移動させ得る構成を簡易且つ低コストで実現することができる。
【００１１】
また、回転シリンダには、磁気ヘッドよりも当該回転シリンダの回転方向前側の位置に、空気流を内側に導くための開口部が設けられていることが好ましい。このような構成とした場合、回転シリンダの回転により発生する空気流を、確実に回転シリンダ内に導いて、アームの他端側に作用させることができる。
【００１６】
また、磁気ヘッドは、磁気抵抗効果によって磁気テープの情報を読取る磁気抵抗効果型素子を含むことが好ましい。磁気抵抗効果型素子を利用した磁気ヘッドにはインダクティブ型の磁気ヘッドよりも高感度というメリットがある。ところが、磁気抵抗効果型素子を利用した磁気ヘッドは、インダクティブ型磁気ヘッドのようにその表面が磁気テープとの摩擦により削られることは好ましくない。特に、磁気抵抗効果素子が削られると、磁気テープとの対向面からの素子の奥行きの距離（いわゆるＭＲハイト）が変わり、磁気ヘッドの特性が変化するという問題が生じる。また、磁気ヘッドと磁気テープとが離れてしまうと、出力感度が大幅に低下して出力特性が悪化するという問題も生じる。そこで、本発明のように、磁気ヘッドが回転シリンダの外側に向かって移動させられるように構成する、あるいは、磁気ヘッドと磁気テープとの間に生じる空気流によって磁気ヘッドと磁気テープとの間隔が調整されるように構成することで、磁気ヘッドと磁気テープとの接触状態を適切に調節して、磁気抵抗効果型素子が磁気テープから過度の衝撃又は摩擦を受ける事態を回避すると共に、磁気ヘッドの出力特性が悪化するのを防止できる。
【００１７】
また、磁気ヘッドは、インダクティブ型磁気ヘッドであることが好ましい。このような構成とした場合、インダクティブ型磁気ヘッドは、一般的にその表面が磁気テープとの摩擦によって削られることが前提となっているが、磁気ヘッドが回転シリンダの外側に向かって移動させる、あるいは、磁気ヘッドと磁気テープとの間に生じる空気流によって磁気ヘッドと磁気テープとの間隔が調整されることで、磁気テープから過度の衝撃又は摩擦を受ける事態を回避すると共に、磁気ヘッドの出力特性が悪化するのを防止できる。
【００１８】
本発明に係る磁気記録再生装置は、上記ロータリヘッドと、当該ロータリヘッドの周囲に磁気テープを搬送する搬送機構と、を備えることを特徴とする。上述のようにロータリヘッドにおいては、磁気ヘッドと磁気テープとの接触状態を適切に調節されるように構成されているため、当該ロータリヘッドを備えた磁気記録再生装置は、高密度記録、高転送レートに適したものとなっている。
【００１９】
【発明の実施の形態】
本発明の実施形態に係るロータリヘッド及び磁気記録再生装置について図面を参照して説明する。なお、説明において、同一要素又は同一機能を有する要素には、同一符号を用いることとし、重複する説明は省略する。
【００２０】
（第１実施形態）
図１は、本実施形態の磁気記録再生装置１を示す概略図である。磁気記録再生装置１は、記録媒体である磁気テープ１１に対して情報の記録又は情報の読出しを行うものであり、例えばサーババックアップ用のデータストレージ、ハンディカムカメラ、ビデオデッキ、及びオーディオデッキ等が該当する。磁気記録再生装置１は、複数の磁気ヘッド２０ａ〜２０ｄが搭載されたロータリヘッド１０と、このロータリヘッドの周囲に磁気テープを搬送する搬送機構６０と、装置全体の動作を統括する制御部７０とを備えている。
【００２１】
搬送機構６０は、磁気テープ１１の走行の上流から順に、磁気テープ１１をロータリヘッド１０へ向けて供給する供給リール６１、ガイドローラ６２、磁気テープ１１がロータリヘッド１０に巻きつくような位置に配されたガイドローラ６３，６４、ガイドローラ６５、及び磁気テープ１１を巻き取る巻取リール６６を備える。
【００２２】
制御部７０は、搬送機構６０の各ローラの駆動とロータリヘッド１０の回転とのタイミング調整、ロータリヘッド１０の磁気ヘッドに対する情報記録及び情報読取の指示、及び、磁気ヘッドが読取った情報の信号処理等の他、公知の磁気記録再生装置１で行われる様々の機能を実行するものである。
【００２３】
図２は、ロータリヘッド１０の斜視図である。ロータリヘッド１０は、いわゆるヘリカルスキャン方式に対応しており、円筒状の回転シリンダ１２と、この下方同軸上に位置する固定シリンダ１４と、固定シリンダ１４内に配され回転シリンダ１２を回転させる駆動モータ１６と、を主として備える。尚、本実施形態では固定シリンダ１４上に回転シリンダ１２が位置するタイプのロータリヘッドとしているが、各シリンダの形態はこれには限られない。
【００２４】
固定シリンダ１４は、磁気テープ１１に対する情報の記録再生時に、回転せずに静止状態に保たれる。固定シリンダ１４の周囲には、段差によって規定されたテープガイド１５が形成されている。記録再生時に、磁気テープ１１はこのテープガイド１５に沿って、図中における矢印Ａ方向に走行することになる。尚、回転シリンダ１２は、駆動モータ１６によって、矢印Ｂ方向に所定の回転数で回転させられる。
【００２５】
次に、図３及び図４を参照して、ロータリヘッド１０をより詳細に説明する。図３は、回転シリンダ１２を図２におけるIII−III方向から見た図であり、図４は、ロータリヘッド１０に設けられた一つの磁気ヘッド２０ａ近傍の拡大図である。ロータリヘッド１０には、２つの記録専用のインダクティブ型磁気ヘッド２０ｂ，２０ｄと、２つの再生専用の磁気抵抗効果型磁気ヘッド（以下、「ＭＲヘッド」ともいう）２０ａ，２０ｃとが円周方向に交互に設けられているが、各磁気ヘッド２０ａ〜２０ｄの配列はこれには限られない。また、各磁気ヘッド２０ａ〜２０ｄは、例えばアルティック（Ａｌ2Ｏ3・ＴｉＣ）で形成された略直方体形状の基台２２に取り付けられている。
【００２６】
インダクティブ型磁気ヘッド２０ｂ，２０ｄとしては公知のものを採用することができ、例えば磁気ギャップを挟んだ一対の磁極に銅のコイルを巻き付けたものを利用できる。コイルに高周波電流を流して磁界を発生させることで、磁気テープ１１に情報を記録することができる。インダクティブ型磁気ヘッド２０ｂ，２０ｄは、その情報記録面が搬送中の磁気テープ１１と対向するように、基台２２に取り付けられている。
【００２７】
ＭＲヘッド２０ａ，２０ｃは、いわゆる磁気抵抗効果を利用したものであり、具体的には、異方性磁気抵抗効果を利用するＡＭＲ（Anisotropy Magneto Resistive）素子、巨大磁気抵抗効果を利用するＧＭＲ（Giant Magneto Resistive）素子、トンネル接合で生じる磁気抵抗効果を利用するＴＭＲ（Tunnel-type Magneto Resistive）素子等を含んで構成されている。ＭＲヘッドは、インダクティブ型磁気ヘッドよりも高感度の情報再生を実現できる。ＭＲヘッド２０ａ，２０ｃは、その情報読取面が搬送中の磁気テープ１１と対向するように、基台２２に取り付けられている。
【００２８】
また、図示は省略するが、ロータリヘッド１０には、インダクティブ型磁気ヘッド２０ｂ，２０ｄへ記録情報を伝送するための配線、及び、ＭＲヘッド２０ａ，２０ｃで読取った情報を伝送するための配線が施されている。これらの配線は、図１に示した制御部７０に接続してもよいし、或いは、固定シリンダ１４内に別途設ける制御装置等に接続してもよい。
【００２９】
磁気ヘッド２０ａ〜２０ｄが取り付けられた基台２２は、回転シリンダ１２の内部に配されたアーム３０の一端側に設けられている。アーム３０は、その中央部分において、回転シリンダ１２の底面に立設された揺動軸３１によって、当該揺動軸３１回りに揺動可能に軸支されている。これにより、磁気ヘッド２０ａ〜２０ｄは、回転シリンダ１２の内側あるいは外側に向かって移動可能に支持されることとなる。
【００３０】
回転シリンダ１２の端縁には、９０度の角度間隔で４つの開口部２４が形成されており、各開口部２４からそれぞれ磁気ヘッド２０ａ〜２０ｄが磁気テープ１１と対面できるようになっている。開口部２４は切欠き状のものとなっているが、この他、回転シリンダ１２の周面を貫通した孔としてもよい。
【００３１】
また、それぞれの開口部２４（磁気ヘッド２０ａ〜２０ｄ）よりも回転シリンダ１２の回転方向前側の位置に、開口部２６が設けられている。この開口部２６からは、回転シリンダ１２の回転により生じる空気流が回転シリンダ１２の内側に導かれる。また、開口部２６の位置は、当該開口部２６から回転シリンダ１２の内側に導かれた空気流がアーム３０の他端側に作用する位置に設定されている。
【００３２】
次に、本実施形態のロータリヘッド及び磁気記録再生装置の動作を説明する。磁気記録再生装置によって情報を再生する場合を例に採る。再生指示を受けた制御部７０は、供給リール６１、巻取リール６６、及びロータリヘッド１０の回転シリンダ１２を回転させ始める。なお、回転シリンダ１２の停止時には、各磁気ヘッド２０ａ〜２０ｄは、図５に示されるように、基台２２及び磁気ヘッド２０ａ〜２０ｄが回転シリンダ１２の外周面から多少引っ込んでいる。制御部７０が回転シリンダ１２を回転させ始めると、当該回転シリンダ１２の回転により、図６に示されるように、開口部２６から回転シリンダ１２の内側に導かれる空気流Ｆが発生する。そして、この空気流Ｆによってアーム３０が矢印Ｃ方向に揺動し、基台２２及び各磁気ヘッド２０ａ〜２０ｄが回転シリンダ１２の外側に向かって移動させられる（図６参照）。
【００３３】
以上のように、本実施形態によれば、磁気ヘッド２０ａ〜２０ｄは回転シリンダ１２の外側へ向かって移動可能に支持されているので、磁気ヘッド２０ａ〜２０ｄと磁気テープ１１との接触状態を適切に調節することができる。
【００３４】
また、磁気ヘッド２０ａ〜２０ｄは、回転シリンダ１２の内部に配されたアーム３０によって、揺動可能に支持されている。このように磁気ヘッド２０ａ〜２０ｄを揺動可能に支持するアーム３０を設けることで、磁気ヘッド２０ａ〜２０ｄを回転シリンダ１２の外側に向かって容易に移動させることができる。
【００３５】
また、磁気ヘッド２０ａ〜２０ｄは、アーム３０の一端側に設けられており、アーム３０の他端側に回転シリンダ１２の回転により生じる空気流が作用して、回転シリンダ１２の外側へ向かって移動させられる。このため、磁気ヘッド２０ａ〜２０ｄを回転シリンダ１２の外側へ向かって移動させ得る構成を簡易且つ低コストで実現することができる。
【００３６】
また、回転シリンダ１２には、開口部２４（磁気ヘッド２０ａ〜２０ｄ）よりも当該回転シリンダ１２の回転方向前側の位置に、上記空気流を内側に導くための開口部２６が設けられている。これにより、回転シリンダ１２の回転により発生する上記空気流を、確実に回転シリンダ１２内に導いて、アーム３０の他端側に作用させることができる。
【００３７】
特に、開口部２６の形状を変更することにより、回転シリンダ１２の内側に導かれる空気流の大きさが変わり、これに応じてアーム３０の他端側に作用する力も変わることとなる。このように、開口部２６の形状を適宜設定することにより、磁気ヘッド２０ａ〜２０ｄと磁気テープ１１との接触状態をより一層適切に調整することができる。
【００３８】
上記のように、ロータリヘッド１０では、再生用の磁気ヘッドとしてＭＲヘッド２０ａ，２０ｃを利用している。ＭＲヘッドはインダクティブ型の磁気ヘッドよりも高感度というメリットがある。ところが、ＭＲヘッドは、インダクティブ型磁気ヘッドのようにその表面が磁気テープとの摩擦により削られることは好ましくない。特に、磁気抵抗効果素子が削られると、磁気テープとの対向面からの素子の奥行きの距離（いわゆるＭＲハイト）が変わり、磁気ヘッドの特性が変化してしまう。磁気ヘッドと磁気テープとが離れてしまうと、出力感度が大幅に低下して出力特性が悪化してしまう。つまり、ＭＲヘッドにおいては、インダクティブ型磁気ヘッドよりも磁気テープとの接触状態を適切に調節することが必要となり、本実施形態の効果は、インダクティブ型磁気ヘッド２０ｂ，２０ｄはもちろんのこと、ＭＲヘッド２０ａ，２０ｃにおいて更に有効といえる。すなわち、本実施形態により、ＭＲヘッド２０ａ，２０ｃと磁気テープ１１との接触状態を適切に調節して、ＭＲヘッド２０ａ，２０ｃが磁気テープ１１から過度の衝撃又は摩擦を受ける事態を回避すると共に、ＭＲヘッド２０ａ，２０ｃの出力特性が悪化するのを防止できる。
【００３９】
（第２実施形態）
次に、図７〜図１０を参照して、参考例としての第２実施形態を説明する。なお、磁気記録再生装置については、図１と同様のものを適用することができる。
【００４０】
図７は、ロータリヘッド１０の斜視図である。また、図８は、回転シリンダ１２を図７におけるVIII−VIII方向から見た図である。各磁気ヘッド２０ａ〜２０ｄは、例えばアルティック（Ａｌ2Ｏ3・ＴｉＣ）で形成された略直方体形状の基台４０に取り付けられている。磁気ヘッド２０ａ〜２０ｄが取り付けられた基台４０は、回転シリンダ１２の内部に配された支持部材４１に固定されている。支持部材４１は、その中央部分において、回転シリンダ１２の底面に立設されたシャフト４２に固定されている。これにより、磁気ヘッド２０ａ〜２０ｄ自体は、回転シリンダ１２の内側あるいは外側に向かって移動することはない。
【００４１】
基台４０には、磁気テープ１１の走行と回転シリンダ１２の回転とにより生じる空気流によって磁気テープ１１と対向する面と磁気テープ１１との間に負圧（大気圧より低い圧力状態）を生じさせるように、上記磁気テープ１１と対向する面に溝部４０ａが形成されている（図９参照）。この溝部４０ａは、磁気ヘッド２０ａ〜２０ｄと磁気テープ１１との間に生じる空気流によって、磁気ヘッド２０ａ〜２０ｄと磁気テープ１１との間隔を調整する間隔調整手段として機能することとなる。
【００４２】
次に、本実施形態のロータリヘッド及び磁気記録再生装置の動作を説明する。磁気記録再生装置によって情報を再生する場合を例に採る。再生指示を受けた制御部７０は、供給リール６１、巻取リール６６、及びロータリヘッド１０の回転シリンダ１２を回転させ始める。すると、磁気テープ１１の走行と回転シリンダ１２の回転とにより、両者の間に空気流が発生して、基台４０の磁気テープ１１と対向する面と磁気テープ１１との間が負圧状態となる。そして、生じた負圧が磁気テープ１１に作用して、図１０に示されるように、当該磁気テープ１１が磁気ヘッド２０ａ〜２０ｄに近づく方向（矢印Ｄ方向）に移動させられる。これにより、磁気ヘッド２０ａ〜２０ｄと磁気テープ１１との間隔が調整されることとなる。
【００４３】
以上のように、本実施形態においては、溝部４０ａが、磁気テープ１１の走行と回転シリンダ１２の回転とにより生じる空気流によって基台４０の磁気テープ１１と対向する面と磁気テープ１１との間に負圧を生じさせるように、上記磁気テープ１１と対向する面に形成されているので、磁気ヘッド２０ａ〜２０ｄと磁気テープ１１との接触状態を、磁気テープ１１が磁気ヘッド２０ａ〜２０ｄに近づく方向で調節することができる。このように、溝部４０ａにより、磁気ヘッド２０ａ〜２０ｄと磁気テープ１１との間隔が調節されることとなるので、磁気ヘッド２０ａ〜２０ｄと磁気テープ１１との接触状態を適切に調節することができる。
【００４４】
特に、溝部４０ａの形状を変更することにより、磁気テープ１１の走行と回転シリンダ１２の回転とにより生じる空気流の大きさが変わり、これに応じて磁気テープ１１と対向する面と磁気テープ１１との間に生じる負圧の大きさも変わることとなる。このように、溝部４０ａの形状を適宜設定することにより、磁気ヘッド２０ａ〜２０ｄと磁気テープ１１との接触状態をより一層適切に調整することができる。
【００４５】
次に、図１１及び図１２を参照して、本実施形態の変形例を説明する。本例が図７〜図１０に示した形態と異なるのは、基台４０に形成される溝部の形状である。
【００４６】
本例では、溝部４０ｂは、磁気テープ１１の走行と回転シリンダ１２の回転とにより生じる空気流によって磁気テープ１１と対向する面と磁気テープ１１との間に正圧（大気圧より高い圧力状態）を生じさせるように、上記磁気テープ１１と対向する面に形成されている（図１１参照）。この溝部４０ｂは、上記溝部４０ａと同じく、磁気ヘッド２０ａ〜２０ｄと磁気テープ１１との間に生じる空気流によって、磁気ヘッド２０ａ〜２０ｄと磁気テープ１１との間隔を調整する間隔調整手段として機能する。
【００４７】
続いて、本例におけるロータリヘッド及び磁気記録再生装置の動作を説明する。磁気記録再生装置によって情報を再生する場合を例に採る。再生指示を受けた制御部７０は、供給ローラ６１、巻取ローラ６６、及びロータリヘッド１０の回転シリンダ１２を回転させ始める。すると、磁気テープ１１の走行と回転シリンダ１２の回転とにより、両者の間に空気流が発生して、基台４０の磁気テープ１１と対向する面と磁気テープ１１との間が正圧状態となる。そして、生じた正圧が磁気テープ１１に作用して、図１２に示されるように、当該磁気テープ１１が磁気ヘッド２０ａ〜２０ｄから遠ざかる方向（矢印Ｅ方向）に移動させられる。これにより、磁気ヘッド２０ａ〜２０ｄと磁気テープ１１との間隔が調整されることとなる。
【００４８】
このように、本例においては、溝部４０ａが、磁気テープ１１の走行と回転シリンダ１２の回転とにより生じる空気流によって基台４０の磁気テープ１１と対向する面と磁気テープ１１との間に正圧を生じさせるように、上記磁気テープ１１と対向する面に形成されているので、磁気ヘッド２０ａ〜２０ｄと磁気テープ１１との接触状態を、磁気テープ１１が磁気ヘッド２０ａ〜２０ｄから遠ざかる方向で調節することができる。このように、溝部４０ａにより、磁気ヘッド２０ａ〜２０ｄと磁気テープ１１との間隔が調節されることとなるので、磁気ヘッド２０ａ〜２０ｄと磁気テープ１１との接触状態を適切に調節することができる。
【００４９】
特に、溝部４０ｂの形状を変更することにより、磁気テープ１１の走行と回転シリンダ１２の回転とにより生じる空気流の大きさが変わり、これに応じて磁気テープ１１と対向する面と磁気テープ１１との間に生じる正圧の大きさも変わることとなる。このように、溝部４０ａの形状を適宜設定することにより、磁気ヘッド２０ａ〜２０ｄと磁気テープ１１との接触状態をより一層適切に調整することができる。
【００５０】
以上、本発明者らによってなされた発明を実施形態に基づき具体的に説明したが、本発明は上記実施形態に限定されるものではない。例えば、ロータリヘッドに設ける磁気ヘッドは、再生用のＭＲヘッドと記録用のインダクティブ型磁気ヘッドとを一体的に備えた複合型ヘッドであってもよい。
【００５１】
また、第２実施形態における支持部材４１の形状も図８に示されたものに限られず、例えば、図１３に示されるように、アーム形状であってもよい。この場合には、アーム形状を有する支持部材４１の一端側に磁気ヘッド２０ａ〜２０ｄが取り付けられるとなり、支持部材４１の他端側がシャフト４２に固定される。
【００５２】
また、第１実施形態における基台２２の磁気テープ１１と対向する面に、第２実施形態における溝部４０ａ，４０ｂを形成するようにしてもよい。
【００５３】
【発明の効果】
以上説明したように、本発明によれば、磁気ヘッドと磁気テープとの接触状態を適切に調節することが可能なロータリヘッド及びこれを備えた磁気記録再生装置を提供することができる。
【図面の簡単な説明】
【図１】本発明に係る磁気記録再生装置の一実施形態の概略構成図である。
【図２】本発明に係るロータリヘッドの第１実施形態の斜視図である。
【図３】図２に示したロータリヘッドのIII−III方向の図である。
【図４】図２に示したロータリヘッドにおけるＭＲヘッド近傍の側面図である。
【図５】ＭＲヘッド近傍の拡大図である。
【図６】ＭＲヘッド近傍の拡大図である。
【図７】  参考例としての、ロータリヘッドの第２実施形態の斜視図である。
【図８】  図７に示したロータリヘッドのVIII−VIII方向の図である。
【図９】  図７に示したロータリヘッドにおける基台の平面図である。
【図１０】ＭＲヘッド近傍の拡大図である。
【図１１】  参考例としての、ロータリヘッドの第２実施形態の変形例における基台の平面図である。
【図１２】ＭＲヘッド近傍の拡大図である。
【図１３】  参考例としての、ロータリヘッドの第２実施形態の変形例を説明するための図である。
【符号の説明】
１…磁気記録再生装置、１０…ロータリヘッド、１１…磁気テープ、１２…回転シリンダ、１４…固定シリンダ、１６…駆動モータ、２０ａ，２０ｃ…ＭＲヘッド（磁気ヘッド）、２０ｂ，２０ｄ…インダクティブ型磁気ヘッド（磁気ヘッド）、２２…基台、２４…開口部、２６…開口部、３０…アーム、３１…揺動軸、４０…基台、４０ａ，４０ｂ…溝部、４１…支持部材、４２…シャフト、６０…搬送機構、６１…供給リール、６２〜６５…ガイドローラ、６６…巻取リール、７０…制御部。
【図１】
0003860774.tif 000002
【図２】
0003860774.tif 000003
【図３】
0003860774.tif 000004
【図４】
0003860774.tif 000005
【図５】
0003860774.tif 000006
【図６】
0003860774.tif 000007
【図７】
0003860774.tif 000008
【図８】
0003860774.tif 000009
【図９】
0003860774.tif 000010
【図１０】
0003860774.tif 000011
【図１１】
0003860774.tif 000012
【図１２】
0003860774.tif 000013
【図１３】
0003860774.tif 000014